(57)【特許請求の範囲】
【請求項１】
巻芯部と該巻芯部の両端に設けられた第一鍔部及び第二鍔部とから構成されるコアと、
該巻芯部に巻回される巻線と、
該第一鍔部に設けられた端子電極部と、を備え、
該第一鍔部は、該コアの一方の端面となる底面と、該底面の周縁部から該コアの他方の端面側へ延出された周面部とを有し、
該底面は、第一鍔部と第二鍔部とを結ぶ方向で見たとき、四角形の一辺の一端に位置する第一の角部に相当する位置と、該一辺と対向する二辺の一端若しくは他端のいずれかに位置する第二の角部に相当する位置とがそれぞれ面取り若しくは切欠きされて構成される第一欠落辺と第二欠落辺とを有すると共に、該一辺の他端に位置する第三の角部に相当する位置と該二辺の他端若しくは一端のいずれかに位置する第四の角部に相当する位置とがそれぞれ面取り若しくは切り欠きされて構成される第三欠落辺と第四欠落辺とを有し、
該周面部は、該一辺から延出される第一周面と、該第二辺から延出される第二周面と、該第一欠落辺から延出されて該第一周面と隣接する第一欠落周面と、該第二欠落辺から延出されて該第二周面と隣接する第二欠落周面と、該第三欠落辺から延出されて該第一周面と隣接する第三欠落周面と、該第四欠落辺から延出されて該第二周面と隣接する第四欠落周面とを含んで構成され、
該端子電極部は第一端子電極と第二端子電極とから構成され、
該第一端子電極は該周面部において該第一欠落周面及び該第三欠落周面のみに設けられると共に該底面の一部分に亘って設けられ、
該第二端子電極は該周面部において該第二欠落周面及び該第四欠落周面のみに設けられると共に該底面であって該第一端子電極と離間した部分に亘って設けられ、
該巻線の一端は該第一欠落周面で該第一端子電極に継線され、
該巻線の他端は該第二欠落周面で該第二端子電極に継線され、
該第一端子電極に継線された該巻線の該一端と該第二端子電極に継線された該巻線の該他端とは、該第一辺、該第二辺、該第三辺、及び該第四辺それぞれを延長して構成される仮想の四角形の内部に位置していることを特徴とするコイル部品。
【請求項２】
該底面は面取りされた該第一欠落辺と、該第二欠落辺と、該第三欠落辺と、該第四欠落辺とによって八角形に構成されると共に、該周面部には、該八角形の該底面の各辺に対応した周面を備えることを特徴とする請求項１に記載のコイル部品。
【請求項３】
該第一欠落周面において、該周面の周方向における該第一端子電極の該第一周面側と反第一周面側とには、該第一欠落周面が露出する電極非形成領域が提供され、
該第二欠落周面において、該周方向における該第二端子電極の該第二周面側と反第二周面側とには、該第二落周面が露出する電極非形成領域が提供され、
該第三欠落周面において、該周方向における該第一端子電極の該第一周面側と反第一周面側とには、該第三欠落周面が露出する電極非形成領域が提供され、
該第四欠落周面において、該周方向における該第二端子電極の該第二周面側と反第二周面側とには、該第四欠落周面の表面が露出する電極非形成領域が提供されていることを特徴とする請求項１に記載のコイル部品。
【請求項４】
該第一欠落周面と該第二欠落周面とは、それぞれ第一辺と第二辺との一端側に位置していることを特徴とする請求項１に記載のコイル部品。
【請求項５】
該底面において、該第一端子電極と該第一辺との間、及び該第二端子電極と該第二辺との間にはそれぞれ電極非形成領域が提供されていることを特徴とする請求項１に記載のコイル部品。
【発明の詳細な説明】
【技術分野】
【０００１】
本発明はコイル部品に関し、特にドラムコアを備えたコイル部品に関する。
【背景技術】
【０００２】
従来から電子機器においてノイズ除去のために、巻芯部と巻芯部の両端に鍔部を備えたコアと巻芯部に巻回された巻線とを備えたコイル部品が使用されている。このコイル部品を基板上に実装する際には、安定性等を考慮して、一方の鍔部の端面を実装面としている。
【０００３】
基板上には電極が形成されているが、この電極と通電するため、特許文献１に示されるように、実装面にも端子電極が設けられており、この実装面の端子電極に巻線が継線されている
【０００４】
近年の電子機器、例えば携帯電話においては、その高性能化に伴い、内部機器の高密度実装が要求されている。従って、コイル部品においてもその体積を小さくするべく、低背化や、隣り合うコイル部品間の距離を短くしている。
【特許文献１】特開２００５−２１００５５号公報
【発明の開示】
【発明が解決しようとする課題】
【０００５】
しかし、実装面で巻線を継線した場合では、巻線の分だけその上背が大きくなっていた。また特許文献１では、実装面に窪みを形成してその窪み内で継線しているが、この場合コアの形状が複雑になるため、コアの製造が煩雑になると共に、コアの強度の低下を招いていた。
【０００６】
またコイル部品を基板上に実装した場合に、実装面のみで基板に実装した場合には、実装箇所が目視できないため、鍔部の周面に電極を構成することがあるが、隣り合うコイル部品間の距離を短くした場合に電極部分で短絡する場合があった。故に隣り合うコイル部品間においてある程度離間させる必要があり、高密度実装を図る上での障害となっていた。
【０００７】
そこで、本発明は、低背化及び高密度実装を可能としたコイル部品を提供することを目的とする。
【課題を解決するための手段】
【０００８】
上記課題を解決するために、本発明は巻芯部と巻芯部の両端に設けられた第一鍔部及び第二鍔部とから構成されるコアと、巻芯部に巻回される巻線と、第一鍔部に設けられた端子電極部と、を備えたコイル部品を提供する。このコイル部品において、第一鍔部は、コアの一方の端面となる底面と底面の周縁部からコアの他方の端面側へ延出された周面部とを有している。底面は、第一鍔部と第二鍔部とを結ぶ方向で見たときに、四角形の一辺の一端に位置する第一の角部に相当する位置と、一辺と対向する二辺の一端若しくは他端のいずれかに位置する第二の角部に相当する位置とがそれぞれ面取り若しくは切欠きされて構成される第一欠落辺と第二欠落辺とを有すると共に、一辺の他端に位置する第三の角部に相当する位置と二辺の他端若しくは一端のいずれかに位置する第四の角部に相当する位置とがそれぞれ面取り若しくは切り欠きされて構成される第三欠落辺と第四欠落辺とを有している。周面部は、一辺から延出される第一周面と、第二辺から延出される第二周面と、第一欠落辺から延出されて第一周面と隣接する第一欠落周面と、第二欠落辺から延出されて第二周面と隣接する第二欠落周面と、第三欠落辺から延出されて第一周面と隣接する第三欠落周面と、第四欠落辺から延出されて該第二周面と隣接する第四欠落周面とを含んで構成されている。端子電極部は第一端子電極と第二端子電極とから構成されており、第一端子電極は周面部において第一欠落周面及び第三欠落周面のみに設けられると共に底面の一部分に亘って設けられ、第二端子電極は周面部において第二欠落周面及び第四欠落周面のみに設けられると共に底面であって該第一端子電極と離間した部分に亘って設けられている。また巻線の一端は第一欠落周面で第一端子電極に継線され、巻線の他端は第二欠落周面で第二端子電極に継線され、第一端子電極に継線された巻線の一端と第二端子電極に継線された巻線の他端とは、第一辺、第二辺、第三辺、及び第四辺それぞれを延長して構成される仮想の四角形の内部に位置している。
【０００９】
このような構成によると、コアの外周面部分で巻線が継線されるため、巻線が実装面となる底面に配線されることがない。故にコイル部品の上背をコアの一端面から他端面までの距離のみで規定することができ、コイル部品を低背化することができる。また第一欠落周面及び第二欠落周面は、第一周面を含む仮想の平面と第二周面を含む仮想の平面との間に位置する。この場合に、第一周面若しくは第二周面で他のコイル部品に接触したとしても、第一欠落周面及び第二欠落周面は他のコイル部品に接触することは抑制される。従って第一欠落周面及び第二欠落周面に形成された端子電極部及び端子電極部に形成されるハンダフィレットが他のコイル部品に接触することが抑制されるため、各コイル部品間の間隔を狭めたとしても短絡が生じることが抑制される。またコアにおいて、例えば、第一欠落周面及び第二欠落周面と第三欠落周面及び第四欠落周面とを対称な形状として構成することができる。よって各々の欠落周面の位置に関係なく、コアに端子電極部を形成することができる。またコアに端子電極部を形成した後に、第一欠落周面及び第二欠落周面と第三欠落周面及び第四欠落周面とを対称な形状として構成することができる。よって各々の欠落周面の位置に関係なく、端子電極部に継線することができる。
【００１０】
また底面は面取りされた第一欠落辺と、第二欠落辺と、第三欠落辺と、第四欠落辺とによって八角形に構成されると共に、周面部には、八角形の底面の各辺に対応した周面を備えることが好ましい。
【００１１】
このような構成によると、第一欠落周面〜第四欠落周面について、同形状とすることができる。この場合には、何れも対称な形状であるため、各々の欠落周面の位置に関係なく、コアに端子電極部を形成し、かつ形成された端子電極部に継線することができる。また、特に正八角形とすることにより、第一欠落周面〜第四欠落周面と第一周面〜第四周面との全ての周面において同じ形状とすることができ、この場合には何れの周面においても端子電極部を形成することができるため、端子電極形成時における作業性を増すことができる。
【００１２】
また第一欠落周面において、周面の周方向における第一端子電極の第一周面側と反第一周面側とには、第一欠落周面が露出する電極非形成領域が提供され、第二欠落周面において該周方向における第二端子電極の第二周面側と反第二周面側とには、第一欠落周面の表面が露出する電極非形成領域が提供され、第三欠落周面において、周方向における第一端子電極の第一周面側と反第一周面側とには、第三欠落周面が露出する電極非形成領域が提供され、第四欠落周面において、周方向における第二端子電極の第二周面側と反第二周面側とには、第四欠落周面の表面が露出する電極非形成領域が提供されていることが好ましい。
【００１４】
また第一欠落周面と第二欠落周面とは、それぞれ第一辺と第二辺との一端側に位置していることが好ましい。
【００１５】
また底面において、第一端子電極と第一辺との間、及び第二端子電極と第二辺との間にはそれぞれ電極非形成領域が提供されていることが好ましい。
【発明の効果】
【００１６】
本発明のコイル部品によれば、低背化及び高密度実装を可能とすることができる。
【発明を実施するための最良の形態】
【００１７】
以下、本発明の実施の形態について、図１から図４に基づき説明する。図１に示されるコイル部品１は、コア２と、一本の巻線６と、端子電極部７とから主に構成されている。
【００１８】
コア２は、フェライト等の磁性体を基材として、略円柱状の巻芯部３（図２）と、巻芯部３の両端に設けられて一対を成す第一鍔部４及び第二鍔部５とから構成されている。第一鍔部４と第二鍔部５とは対称な形状であるため、特に言及しない限りは第二鍔部５のみについて説明して、第一鍔部４についての説明は省略する。
【００１９】
第二鍔部５は、所定の厚さを有して底面５Ａが略八角形を成す略板状に構成されており、底面５Ａは、図３に示されるように、全て同一長の辺である、第一辺５１と、第二辺５２と、第一欠落辺５３と、第二欠落辺５４と、第三辺５５と、第四辺５６と、第三欠落辺５７と、第四欠落辺５８とを有している。
【００２０】
第一辺５１と第二辺５２とは、平行な辺であり、第一欠落辺５３及び第二欠落辺５４は、第一辺５１及び第二辺５２の一端側に設けられている。また第三欠落辺５７及び第四欠落辺５８は第一辺５１及び第二辺５２の他端に設けられている。第三辺５５は第一欠落辺５３と第二欠落辺５４との間に設けられており、第四辺５６は第三欠落辺５７と第四欠落辺５８との間に設けられている。また第三辺５５と第四辺５６とは略平行になっている。これら第一辺５１〜第四欠落辺５８から底面５Ａの周縁部が構成されている。
【００２１】
第一辺５１、第二辺５２、第三辺５５、及び第四辺５６は、コイル部品１が基板上に実装された際に、隣り合う他のコイル部品その他電子部品と略当接、若しくは近接して隣り合う辺となる。また第一欠落辺５３、第二欠落辺５４、第三欠落辺５７、第四欠落辺５８は、底面５Ａを第一鍔部４と第二鍔部５とを結ぶ方向で見たときに、第一辺５１、第二辺５２、第三辺５５、及び第四辺５６それぞれを延長して構成される仮想の四角形の四隅の角部を面取りした構成と成っている。故に第一欠落辺５３、第二欠落辺５４、第三欠落辺５７、第四欠落辺５８が他の電子部品と略当接することが抑制される。この底面５Ａが、コア２の一端面であって図示せぬ基板に実装される実装面となる。
【００２２】
図４に示されるように、第一鍔部４にも他端面となる底面４Ａが規定されている。また第二鍔部５は、底面５Ａの周縁部から底面４Ａの側へ延出された周面部として、図４に示されるように、第一周面５１Ａと、第二周面５２Ａと、第一欠落周面５３Ａと、第二欠落周面５４Ａと、第三周面５５Ａと、第四周面５６Ａ（図２）と、第三欠落周面５７Ａと、第四欠落周面５８Ａとを有している。これら第一周面５１Ａ〜第四欠落周面５８Ａは、それぞれ対応する第一辺５１〜第四欠落辺５８から延出されている。
【００２３】
巻線６は絶縁被覆で覆われた銅線が巻芯部３に巻回されて構成されており、その一端６Ａと他端６Ｂとが端子電極部７に継線されている。
【００２４】
端子電極部７は第一端子電極７Ａと第二端子電極７Ｂとから構成されている。図２〜図４に示されるように、第一端子電極７Ａは第一欠落周面５３Ａ上と底面５Ａ上の一部分と第三欠落周面５７Ａ上とに亘って設けられている。第二端子電極７Ｂは第二欠落周面５４Ａ上と底面５Ａ上であって第一端子電極７Ａと離間した部分と第四欠落周面５８Ａ上とに亘って設けられている。また第一端子電極７Ａには第一欠落周面５３Ａ部分で巻線６の一端６Ａが継線されており、第二端子電極７Ｂには第二欠落周面５４Ａ部分で巻線６の他端６Ｂが継線されている。
【００２５】
上記構成のコイル部品１が図示せぬ基板上に整列した状態を図５に示す。この状態において複数のコイル部品１は、一のコイル部品１の第一周面５１Ａと他のコイル部品１の第二周面５２Ａとが近接し、かつ一のコイル部品１の第三周面５５Ａと他のコイル部品１の第四周面５６Ａとが近接して実装される。この場合に一のコイル部品１の第一欠落周面５３Ａと、他のコイル部品１の第二欠落周面５４Ａとも隣り合う位置に配置されるが、第一欠落周面５３Ａ及び第二欠落周面５４Ａは、それぞれ第一周面５１Ａと第二周面５２Ａとにおいて面取りされて形成されるため、第一欠落周面５３Ａ及び第二欠落周面５４Ａ上に形成された第一端子電極７Ａ及び第二端子電極７Ｂが直接若しくはハンダフェレットを介して接触して短絡することは抑制されている。また同様に一のコイル部品１の第一欠落周面５３Ａと、他のコイル部品１の第三欠落周面５７Ａとは隣り合う位置に配置されるが、いずれも面取りされて形成されるため、それぞれに形成された第一端子電極７Ａ及び第二端子電極７Ｂが接触して短絡することは抑制されている。よってコイル部品１において高密度実装が可能となっている。
【００２６】
また、図４に示されるように、コア２の外周部である第一欠落周面５３Ａ及び第二欠落周面５４Ａで巻線６が端子電極部７に継線されるため、巻線６が実装面となる底面５Ａに配線されることがない。故にコイル部品１の上背をコア２の一端面である底面５Ａから他端面である上面４Ａまでの距離のみで規定することができ、コイル部品１を低背化することができる。また第一欠落周面５３Ａ及び第二欠落周面５４Ａで巻線が継線されているため、コイル部品１を図示せぬ基板上に実装した後であっても、継線部分を容易に視認することができる。従って、コイル部品１を実装後であっても、フェレット等の外観検査を容易に行うことができる。
【００２７】
本発明によるコイル部品は、上述した実施の形態に限定されず、特許請求の範囲に記載した範囲で種々の変形や改良が可能である。例えば第一の変形例として、図６に示されるように、第二鍔部１５において、第一欠落辺１５３及び第二欠落辺１５４のみが形成されている形状であっても良い。このような形状であっても、面取りされた箇所である第一欠落辺１５３から延出される第一欠落周面１５３Ａ及び第二欠落辺１５４から延出される第二欠落周面１５４Ａに継線部分が位置するため、コイル部品を低背にすると共に高密度実装が可能となっている。尚、第二鍔部１５においては、第二欠落辺１５４が逆の位置、即ち第二辺１５２と第三辺１５５とが交わる角部に位置していても良い。
【００２８】
また図７に示されるように、第二の変形例として、コイル部品２１において、底面２５Ａの形状が第一辺２５１、第二辺２５２、第一欠落辺２５３、第二欠落辺２５４、第三欠落辺２５７、及び第四欠落辺２５８から規定される六角形であっても良い。このような形状においても、図示せぬ基板上に実装された複数のコイル部品２１において、一のコイル部品３１に係る第一欠落辺２５３と他のコイル部品２１に係る第二欠落辺２５４とが接触してハンダフェレット等で短絡が発生することが抑制される。
【００２９】
また図８に示されるように、第三の変形例として、コイル部品３１において、第一欠落辺３５３、第二欠落辺３５４、第三欠落辺３５７、及び第四欠落辺３５８は、第一辺３５１、第二辺３５２、第三辺３５５、及び第四辺３５６から形成される四角形の四隅が切欠されて構成されていても良い。このような構成であっても、コイル部品１と同様の効果を得ることができる。
【図面の簡単な説明】
【００３０】
【図１】本発明の実施の形態に係るコイル部品の斜視図。
【図２】本発明の実施の形態に係るコイル部品のコアの背面図。
【図３】本発明の実施の形態に係るコイル部品の底面図。
【図４】本発明の実施の形態に係るコイル部品の正面図。
【図５】本発明の実施の形態に係るコイル部品を複数整列した状態での部分底面図。
【図６】本発明の実施の形態に係るコイル部品の第一変形例に係る底面図。
【図７】本発明の実施の形態に係るコイル部品の第二変形例に係る底面図。
【図８】本発明の実施の形態に係るコイル部品の第三変形例に係る底面図。
【符号の説明】
【００３１】
１・・コイル部品  ２・・コア  ３・・巻芯部  ４・・第一鍔部  ４Ａ・・上面
５・・第二鍔部  ５Ａ・・底面  ６・・巻線  ７・・端子電極部  ７Ａ・・第一端子電極
７Ｂ・・第二端子電極  ５１・・第一辺  ５１Ａ・・第一周面  ５２・・第二辺
５２Ａ・・第二周面  ５３・・第一欠落辺  ５３Ａ・・第一欠落周面
５４・・第二欠落辺  ５４Ａ・・第二欠落周面  ５５・・第三辺  ５５Ａ・・第三周面
５６・・第四辺  ５６Ａ・・第四周面  ５７・・第三欠落辺  ５７Ａ・・第三欠落周面
５８・・第四欠落辺  ５８Ａ・・第四欠落周面
【図１】
0004394640.tif 000002
【図２】
0004394640.tif 000003
【図３】
0004394640.tif 000004
【図４】
0004394640.tif 000005
【図５】
0004394640.tif 000006
【図６】
0004394640.tif 000007
【図７】
0004394640.tif 000008
【図８】
0004394640.tif 000009